(57)【要約】【課題】タイヤの表側のみならず、裏側をも綺麗に洗浄することができるハンデータイプの洗浄液噴霧装置を提供する。【解決手段】長尺な噴霧管１の先端に屈曲可能なノズル３を設け、前記噴霧管１と平行に操作棒７を配し、これを前記ノズル３に係止し、該ノズル３を前記操作棒７の引き抜き動作によって屈曲させるものとした。さらに、前記した噴霧管１と操作棒７との基端部は同じレバー付きのハンドルグリップ６に嵌められており、噴霧管１はハンドルグリップ６を介して洗浄ボトルに通じる弁体４に連結し、操作棒７は伸縮可能な二重の管材のうち、前記ノズル３に係止された前側の管材に係止され且つ前記噴霧管１に摺動可能に取り付けられた前後操作部１１を備えている。【選択図】図１
0003220403.tif 000002
【実用新案登録請求の範囲】
【請求項１】
長尺な噴霧管先端に屈曲可能なノズルを設け、前記噴霧管と平行に操作棒を配し、これを前記ノズルに係止し、該ノズルを前記操作棒の引き抜き動作によって屈曲させたことを特徴とする洗浄剤噴霧装置。
【請求項２】
前記した噴霧管と操作棒との基端部は同じレバー付きのハンドルグリップに嵌められており、噴霧管はハンドルグリップを介して洗浄ボトルに通じる弁体に連結し、操作棒は伸縮可能な二重の管材により構成されていることを特徴する請求項１記載の洗浄剤噴霧装置。
【請求項３】
操作棒は伸縮可能な二重の管材のうち、前記ノズルに係止された前側の管材に係止され且つ前記噴霧管に摺動可能に取り付けられた前後操作部を備えていることを特徴とする請求項１記載の洗浄剤噴霧装置。
【請求項４】
操作棒は伸縮可能な二重の管材のうち、前記ハンドルに係止される後管に形成された０°、４５°、９０°用の穴に、前記ノズルに係止される前管に形成された１つの穴を合致させることで、前記ノズルの３つの角度調整を行うストッパを備えていることを特徴とする請求項１記載の洗浄剤噴霧装置。
【考案の詳細な説明】
【技術分野】
【０００１】
本考案は、例えばタイヤ等を隅々まで洗浄することのできる洗浄液噴霧装置に関する。
【背景技術】
【０００２】
従来、例えば人手でタイヤを洗浄する際に、洗浄剤をため込んだボトルから当該洗浄剤を取りだして、タイヤを塗布する。タイヤの洗浄剤としては、アルコール類等が使用されるため、かなりの刺激臭がある。そのため塗布剤用のブラシ等を使用する、
【０００３】
また、例えば特許文献１に開示されているように、タイヤを接地面から浮かしタイヤを任意に回転駆動可能な台座に載せ回転と共に 水、洗浄剤を吹き付けるタイヤの洗浄方法が公知である。
【０００４】
また、特許文献２に開示されているように、水槽内に、車両進行方向と直交する車両支持リブをタイヤが少し水に浸かる程度の高さに所定間隔で配し、同車両支持リブの両端若しくはその延長方向に設けた軸受を中心としてシーソー状に回動する洗浄機能プレートの一端をタイヤで踏み下げる事で、反対側の柄杓機能部が跳ね上がり、この部分に蓄えられていた水をタイヤに撥ねかけ洗浄し、通過後は柄杓機能部が水中に沈み次タイヤの洗浄に対処できるもので、車両の進行に従って順次撥ねかけ洗浄できる洗浄機能プレートを連続的に配したものが公知である。
【０００５】
また、特許文献３に開示されているように、地面に敷設され、車両のタイヤが載置されることでタイヤの径を認識する基部と、 前記基部を挟んだ両端部に各々設けられ、相互に対向する向きに液体を噴射する一対の噴射部と、 前記噴射部からの液体における噴射範囲を制御する電磁バルブと、を含み、 前記基部が認識する前記タイヤの径に基づいて、前記一対の噴射部からの液体の前記噴射範囲を制御するタイヤ洗浄装置であって、 前記一対の噴射部は、前記タイヤの径に対応した略円形状の噴射口の群を複数有するものが公知である。
【先行技術文献】
【特許文献】
【０００６】
【特許文献１】特開２０１７−７４９３５号公報
【特許文献２】特開２０１１−８８４５９号公報
【特許文献３】特開２０１３−２５２８５９号公報
【考案の概要】
【考案が解決しようとする課題】
【０００７】
しかしながら、従来、この状態でタイヤの裏側を塗布するにはかなり困難を有していた。すなわちタイヤはボデイに取り付けられているために、その裏手に回って塗布しなければならず、このときのボデイはかなり低いために、またホイールに嵌っているために、その洗浄が難しいものである。また、ブラシで擦り取る場合は、これの摩擦力によって傷がついてしまう虞もあった。
【０００８】
また、上記した特許文献１、特許文献２、及び特許文献３の場合には、大掛かりな装置でタイヤを洗浄するのでコストも上がってしまう。また、タイヤがホイールに嵌っているので、その間のごみを取り除くためには困難な作業となる。しかもタイヤの裏側を洗浄することは難しい。
【０００９】
そこで、本考案は叙上のような従来存した諸事情に鑑み創出されたもので、タイヤの表側のみならず、裏側をも綺麗に洗浄することができるハンデータイプの洗浄液噴霧装置を提供することを目的とする。
【課題を解決するための手段】
【００１０】
上述した課題を解決するために、本考案に係る洗浄液噴霧装置にあっては、長尺な噴霧管の先端に屈曲可能なノズルを設け、前記噴霧管と平行に操作棒を配し、これを前記ノズルに係止し、該ノズルを前記操作棒の引き抜き動作によって屈曲させたことを特徴とする。
【００１１】
前記した噴霧管と操作棒との基端部は同じレバー付きのハンドルグリップに嵌められており、噴霧管はハンドルグリップを介して洗浄ボトルに通じる弁体に連結し、操作棒は伸縮可能な二重の管材により構成されていることを特徴する。
【００１２】
操作棒は伸縮可能な二重の管材のうち、前記ノズルに係止された前側の管材に係止され且つ前記噴霧管に摺動可能に取り付けられた前後操作部を備えていることを特徴とする。
【００１３】
操作棒は伸縮可能な二重の管材のうち、前記ハンドルに係止される後管に形成された０°、４５°、９０°用の穴に、前記ノズルに係止される前管に形成された１つの穴を合致させることで、前記ノズルの３つの角度調整を行うストッパを備えていることを特徴とする。
【考案の効果】
【００１４】
本考案によれば、タイヤの表側のみならず、裏側をも綺麗に洗浄することができるハンデータイプとすることができる。
【００１５】
すなわち、長尺な噴霧管の先端に屈曲可能なノズルを設け、前記噴霧管と平行に操作棒を配し、これを前記ノズルに係止し、該ノズルを前記操作棒の引き抜き動作によって屈曲させたので、タイヤの裏側を屈曲したノズルを当てて容易に洗浄することができ、これにより作業の能率向上を図ることができる。
【００１６】
また、前記した噴霧管と操作棒との基端部は同じレバー付きのハンドルグリップに嵌められており、前記噴霧管はハンドルグリップを介して洗浄ボトルに通じる弁体に連結し、操作棒は伸縮可能な二重の管材により構成されているので、レバーを引くことで洗浄ボトルより弁体をかえしてすぐに噴霧管およびノズルから洗浄液を噴霧することができる。
【００１７】
また、操作棒は伸縮可能な二重の管材のうち、前記ノズルに係止された前側の管材に係止され且つ前記噴霧管に摺動可能に取り付けられた前後操作部を備えているので、前後操作部は噴霧管に摺動しつつ後側に引くことで容易にノズルを屈曲させることができる。これにより、タイヤの裏側までにわたって洗浄作業が容易に行える。
【００１８】
操作棒は伸縮可能な二重の管材のうち、前記ハンドルに係止される後管に形成された０°、４５°、９０°用の穴に、前記ノズルに係止される前管に形成された１つの穴を合致させることで、前記ノズルの３つの角度調整を行うストッパを備えているので、角度調整がスムーズに行えるこのととなり、タイヤの裏側の洗浄時にも即座に対応可能である。
【図面の簡単な説明】
【００１９】
【図１】本考案の一実施形態における洗浄液噴霧装置の斜視図である。
【図２】同じくノズルを直立にした状態の斜視図である。
【図３】同じくノズルを直立にした状態の拡大した斜視図である。
【図４】同じくノズルを屈曲した状態の斜視図である。
【図５】同じくノズルを屈曲した状態の拡大した斜視図である。
【図６】同じく洗浄液噴霧装置の裏側の斜視図である。
【考案を実施するための形態】
【００２０】
以下、図面を参照して本考案の実施の一形態を詳細に説明すると、図において示される符号Ｐは、図１に示すように、本実施形態に係るタイヤの洗浄に使用する洗浄液噴霧装置であり、該洗浄液噴霧装置Ｐは、長尺な丸棒による噴霧管１の先端に撓み可能なゴム管２を介してラッパ形状のノズル３を設け、基端部には、弁体４を有するレバー５付きのハンドルグリップ６を有している。
【００２１】
そして、この噴霧管１と平行に各筒状の操作棒７を配し、これを前記ノズル３に係止し、該ノズル３を前記操作棒７の引き抜き動作によって屈曲させている。すなわち、操作棒７は前管８と後管９との二重の管材によって構成され、後管９の端部は前記ハンドルグリップ６に取り付けられ、後管９の内部には前管８が挿入されている。前管８の前側は若干への字型に屈曲させ、前端に取り付けられたアダプタ１０を介して前記ノズル３に係止されている。
【００２２】
また、前管８の略中央には、前後操作部１１が固定され、その上側は前記噴霧管１に摺動可能となるように取り付けられている。そしてこの前後操作部１１を前側に押し出すことで前記ノズル３は直進され（図２および図３参照）、後側に引き込むことにより前記ノズル３を屈曲させる（図４および図５参照）。
【００２３】
また、図６に示すように、後管９の裏側には、当該後管９に対し前管８の一つの穴に対し三個のストッパ９Ａ、９Ｂ、９Ｃが設けられ、このいずれかの穴に合致するように引っ掛け棒を挿入することで例えば０°、４５°、９０°というように前記ノズル３の角度調整が行える。
【００２４】
次に、以上のように構成された形態についての使用の一例について説明すると、先ず、前後操作部１１を前方側に押し出すことで、前記ゴム管が伸びて前記ノズル３は直進され（図２および図３参照）、前側のストッパ９Ｃに引っ掛け棒を挿入する。この状態でタイヤの前側部分にある塵埃等を洗い落す。
【００２５】
一方、前後操作部１１を後方側へ引き込むことにより  前記ゴム管が逆Ｕ字状に折り曲げられて前記ノズル３を屈曲させ（図４および図５参照）、手前のストッパ９Ｂ，９Ａでで引っ掛け棒で固定する。この状態でタイヤの後側部分にある塵埃等を洗い落す。
【００２６】
こうしてタイヤの表側のみならず、裏側をも綺麗に洗浄することができる洗浄液噴霧装置とすることができる。
【符号の説明】
【００２７】
Ｐ…洗浄液噴霧装置
１…噴霧管
２…ゴム管
３…ノズル
４…弁体
５…レバー
６…ハンドルグリップ
７…操作棒
８…前管
９…後管
９Ａ、９Ｂ、９Ｃ…ストッパ
１０…アダプタ
１１…前後操作部
【図１】
0003220403.tif 000003
【図２】
0003220403.tif 000004
【図３】
0003220403.tif 000005
【図４】
0003220403.tif 000006
【図５】
0003220403.tif 000007
【図６】
0003220403.tif 000008
【手続補正書】
【提出日】平成30年12月25日(2018.12.25)
【手続補正１】
【補正対象書類名】実用新案登録請求の範囲
【補正対象項目名】全文
【補正方法】変更
【補正の内容】
【実用新案登録請求の範囲】
【請求項１】
長尺な噴霧管先端に屈曲可能なノズルを設け、前記噴霧管と平行に操作棒を配し、該操作棒を前記ノズルに係止し、該ノズルを前記操作棒の引き抜き動作によって屈曲させたことを特徴とする洗浄剤噴霧装置。
【請求項２】
前記した噴霧管と操作棒との基端部は同じレバー付きのハンドルグリップに嵌められており、噴霧管はハンドルグリップを介して洗浄ボトルに通じる弁体に連結し、操作棒は伸縮可能な二重の管材により構成されていることを特徴する請求項１記載の洗浄剤噴霧装置。
【請求項３】
操作棒は伸縮可能な二重の管材のうち、前記ノズルに係止された前側の管材に係止され且つ前記噴霧管に摺動可能に取り付けられた前後操作部を備えていることを特徴とする請求項２記載の洗浄剤噴霧装置。
【請求項４】
操作棒は伸縮可能な二重の管材のうち、前記ハンドルグリップに係止される後管に形成された０°、４５°、９０°用の穴に、前記ノズルに係止される前管に形成された１つの穴を合致させることで、前記ノズルの３つの角度調整を行うストッパを備えていることを特徴とする請求項２記載の洗浄剤噴霧装置。
【手続補正２】
【補正対象書類名】明細書
【補正対象項目名】全文
【補正方法】変更
【補正の内容】
【考案の詳細な説明】
【技術分野】
【０００１】
本考案は、例えばタイヤ等を隅々まで洗浄することのできる洗浄液噴霧装置に関する。
【背景技術】
【０００２】
従来、例えば人手でタイヤを洗浄する際に、洗浄剤をため込んだボトルから当該洗浄剤を取りだして、タイヤを塗布する。タイヤの洗浄剤としては、アルコール類等が使用されるため、かなりの刺激臭がある。そのため塗布剤用のブラシ等を使用する、
【０００３】
また、例えば特許文献１に開示されているように、タイヤを接地面から浮かしタイヤを任意に回転駆動可能な台座に載せ回転と共に 水、洗浄剤を吹き付けるタイヤの洗浄方法が公知である。
【０００４】
また、特許文献２に開示されているように、水槽内に、車両進行方向と直交する車両支持リブをタイヤが少し水に浸かる程度の高さに所定間隔で配し、同車両支持リブの両端若しくはその延長方向に設けた軸受を中心としてシーソー状に回動する洗浄機能プレートの一端をタイヤで踏み下げる事で、反対側の柄杓機能部が跳ね上がり、この部分に蓄えられていた水をタイヤに撥ねかけ洗浄し、通過後は柄杓機能部が水中に沈み次タイヤの洗浄に対処できるもので、車両の進行に従って順次撥ねかけ洗浄できる洗浄機能プレートを連続的に配したものが公知である。
【０００５】
また、特許文献３に開示されているように、地面に敷設され、車両のタイヤが載置されることでタイヤの径を認識する基部と、 前記基部を挟んだ両端部に各々設けられ、相互に対向する向きに液体を噴射する一対の噴射部と、 前記噴射部からの液体における噴射範囲を制御する電磁バルブと、を含み、 前記基部が認識する前記タイヤの径に基づいて、前記一対の噴射部からの液体の前記噴射範囲を制御するタイヤ洗浄装置であって、 前記一対の噴射部は、前記タイヤの径に対応した略円形状の噴射口の群を複数有するものが公知である。
【先行技術文献】
【特許文献】
【０００６】
【特許文献１】特開２０１７−７４９３５号公報
【特許文献２】特開２０１１−８８４５９号公報
【特許文献３】特開２０１３−２５２８５９号公報
【考案の概要】
【考案が解決しようとする課題】
【０００７】
しかしながら、従来、この状態でタイヤの裏側を塗布するにはかなり困難を有していた。すなわちタイヤはボデイに取り付けられているために、その裏手に回って塗布しなければならず、このときのボデイはかなり低いために、またホイールに嵌っているために、その洗浄が難しいものである。また、ブラシで擦り取る場合は、これの摩擦力によって傷がついてしまう虞もあった。
【０００８】
また、上記した特許文献１、特許文献２、及び特許文献３の場合には、大掛かりな装置でタイヤを洗浄するのでコストも上がってしまう。また、タイヤがホイールに嵌っているので、その間のごみを取り除くためには困難な作業となる。しかもタイヤの裏側を洗浄することは難しい。
【０００９】
そこで、本発明は叙上のような従来存した諸事情に鑑み創出されたもので、タイヤの表側のみならず、裏側をも綺麗に洗浄することができるハンデータイプの洗浄液噴霧装置を提供することを目的とする。
【課題を解決するための手段】
【００１０】
上述した課題を解決するために、本考案に係る洗浄液噴霧装置にあっては、長尺な噴霧管先端に屈曲可能なノズルを設け、前記噴霧管と平行に操作棒を配し、該操作棒を前記ノズルに係止し、該ノズルを前記操作棒の引き抜き動作によって屈曲させたことを特徴とする。
【００１１】
前記した噴霧管と操作棒との基端部は同じレバー付きのハンドルグリップに嵌められており、噴霧管はハンドルグリップを介して洗浄ボトルに通じる弁体に連結し、操作棒は伸縮可能な二重の管材により構成されていることを特徴する。
【００１２】
操作棒は伸縮可能な二重の管材のうち、前記ノズルに係止された前側の管材に係止され且つ前記噴霧管に摺動可能に取り付けられた前後操作部を備えていることを特徴とする。
【００１３】
操作棒は伸縮可能な二重の管材のうち、前記ハンドルグリップに係止される後管に形成された０°、４５°、９０°用の穴に、前記ノズルに係止される前管に形成された１つの穴を合致させることで、前記ノズルの３つの角度調整を行うストッパを備えていることを特徴とする。
【考案の効果】
【００１４】
本考案によれば、タイヤの表側のみならず、裏側をも綺麗に洗浄することができるハンデータイプとすることができる。
【００１５】
すなわち、長尺な噴霧管の先端に屈曲可能なノズルを設け、前記噴霧管と平行に操作棒を配し、該操作棒を前記ノズルに係止し、該ノズルを前記操作棒の引き抜き動作によって屈曲させたので、タイヤの裏側を屈曲したノズルを当てて容易に洗浄することができ、これにより作業の能率向上を図ることができる。
【００１６】
また、前記した噴霧管と操作棒との基端部は同じレバー付きのハンドルグリップに嵌められており、前記噴霧管はハンドルグリップを介して洗浄ボトルに通じる弁体に連結し、操作棒は伸縮可能な二重の管材により構成されているので、レバーを引くことで洗浄ボトルより弁体をかえしてすぐに噴霧管およびノズルから洗浄液を噴霧することができる。
【００１７】
また、操作棒は伸縮可能な二重の管材のうち、前記ノズルに係止された前側の管材に係止され且つ前記噴霧管に摺動可能に取り付けられた前後操作部を備えているので、前後操作部は噴霧管に摺動しつつ後側に引くことで容易にノズルを屈曲させることができる。これにより、タイヤの裏側までにわたって洗浄作業が容易に行える。
【００１８】
操作棒は伸縮可能な二重の管材のうち、前記ハンドルグリップに係止される後管に形成された０°、４５°、９０°用の穴に、前記ノズルに係止される前管に形成された１つの穴を合致させることで、前記ノズルの３つの角度調整を行うストッパを備えているので、角度調整がスムーズに行えることとなり、タイヤの裏側の洗浄時にも即座に対応可能である。
【図面の簡単な説明】
【００１９】
【図１】本考案の一実施形態における洗浄液噴霧装置の斜視図である。
【図２】同じくノズルを直立にした状態の斜視図である。
【図３】同じくノズルを直立にした状態の拡大した斜視図である。
【図４】同じくノズルを屈曲した状態の斜視図である。
【図５】同じくノズルを屈曲した状態の拡大した斜視図である。
【図６】同じく洗浄液噴霧装置の裏側の斜視図である。
【考案を実施するための形態】
【００２０】
以下、図面を参照して本考案の実施の一形態を詳細に説明すると、図において示される符号Ｐは、図１に示すように、本実施形態に係るタイヤの洗浄に使用する洗浄液噴霧装置であり、該洗浄液噴霧装置Ｐは、長尺な丸棒による噴霧管１の先端に撓み可能なゴム管２を介してラッパ形状のノズル３を設け、基端部には、弁体４を有するレバー５付きのハンドルグリップ６を有している。
【００２１】
そして、この噴霧管１と平行に各筒状の操作棒７を配し、これを前記ノズル３に係止し、該ノズル３を前記操作棒７の引き抜き動作によって屈曲させている。すなわち、操作棒７は前管８と後管９との二重の管材によって構成され、後管９の端部は前記ハンドルグリップ６に取り付けられ、後管９の内部には前管８が挿入されている。前管８の前側は若干への字型に屈曲させ、前端に取り付けられたアダプタ１０を介して前記ノズル３に係止されている。
【００２２】
また、前管８の略中央には、前後操作部１１が固定され、その上側は前記噴霧管１に摺動可能となるように取り付けられている。そしてこの前後操作部１１を前側に押し出すことで前記ノズル３は直進され（図２および図３参照）、後側に引き込むことにより前記ノズル３を屈曲させる（図４および図５参照）。
【００２３】
また、図６に示すように、後管９の裏側には、当該後管９に対し前管８の一つの穴に対し三個のストッパ９Ａ、９Ｂ、９Ｃが設けられ、このいずれかの穴に合致するように引っ掛け棒を挿入することで例えば０°、４５°、９０°というように前記ノズル３の角度調整が行える。
【００２４】
次に、以上のように構成された形態についての使用の一例について説明すると、先ず、前後操作部１１を前方側に押し出すことで、前記ゴム管が伸びて前記ノズル３は直進され（図２および図３参照）、前側のストッパ９Ｃに引っ掛け棒を挿入する。この状態でタイヤの前側部分にある塵埃等を洗い落す。
【００２５】
一方、前後操作部１１を後方側へ引き込むことにより  前記ゴム管が逆Ｕ字状に折り曲げられて前記ノズル３を屈曲させ（図４および図５参照）、手前のストッパ９Ｂ，９Ａで引っ掛け棒で固定する。この状態でタイヤの後側部分にある塵埃等を洗い落す。
【００２６】
こうしてタイヤの表側のみならず、裏側をも綺麗に洗浄することができる洗浄液噴霧装置とすることができる。
【符号の説明】
【００２７】
Ｐ…洗浄液噴霧装置
１…噴霧管
２…ゴム管
３…ノズル
４…弁体
５…レバー
６…ハンドルグリップ
７…操作棒
８…前管
９…後管
９Ａ、９Ｂ、９Ｃ…ストッパ
１０…アダプタ
１１…前後操作部